(57)【要約】【課題】十分な大きさのサービスホールを確保することができると共に、パワースライドドアユニットのパワースライドドアモータをドアインナーパネルの室内側に確実に取り付けることができるようにした、小型自動車のパワースライドドア装置を提供する。【解決手段】ドア１１の内面を構成するドアインナーパネルに設けられた第一及び第二の開口部１１ｃ，１１ｄと、この第一の開口部１１ｃに取付可能なモジュールパネル１６と、第二の開口部１１ｄに取付可能なモータブラケット１７とを備える。【選択図】　　　　図２
2004142681.tif 000002
【特許請求の範囲】
【請求項１】
小型自動車の側面にて、外側にリフトした状態で車体の前後方向にスライドするように支持されたスライドドアと、このスライドドアを閉鎖位置と開放位置との間で移動させるパワースライドドアユニットと、上記スライドドアをロックするためのドアロック装置と、上記パワースライドドアユニット及びドアロック装置をリモコン操作するためのリモコン受信部と、ドアに備えられたガラスを上下方向に移動させて開閉するレギュレータと、を備えた小型自動車のパワースライドドア装置であって、
ドアの内面を構成するドアインナーパネルに設けられた第一及び第二の開口部と、この第一の開口部に取付可能なモジュールパネルと、上記第二の開口部に取付可能なモータブラケットと、を備えていることを特徴とする、小型自動車のパワースライドドア装置。
【請求項２】
前記モジュールパネルが、ドア内部に収容される第一の凹陥部を備えていていることを特徴とする、請求項１に記載の小型自動車のパワースライドドア装置。
【請求項３】
前記第一の凹陥部が、前記モジュールパネルに複数備えられていることを特徴とする、請求項１又は２の何れかに記載の小型自動車のパワースライドドア装置。
【請求項４】
前記モータブラケットが、ドア内部に収容される第二の凹陥部を備えていることを特徴とする、請求項１乃至３の何れかに記載の小型自動車のパワースライドドア装置。
【請求項５】
前記第一の開口部が、前記第二の開口部よりも大きく形成されていることを特徴とする、請求項１乃至４の何れかに記載の小型自動車のパワースライドドア装置。
【請求項６】
前記モジュールパネルが、前記第一の凹陥部に前記リモコン受信部，レギュレータを装着されて、モジュールとして構成され、
このモジュール化されたモジュールパネルが、前記第一の開口部に取り付けられていることを特徴とする、請求項１乃至５の何れかに記載の小型自動車のパワースライドドア装置。
【請求項７】
前記第二の凹陥部に、前記パワースライドドアユニットのモータが装着されていることを特徴とする、請求項１乃至６の何れかに記載の小型自動車のパワースライドドア装置。
【発明の詳細な説明】
【０００１】
【発明の属する技術分野】
本発明は、自動車の側面にて車体前後方向にスライドすることにより開閉されるスライドドア装置に関し、特にスライドドアが電動式に開閉されるパワースライドドア装置に関するものである。
【０００２】
【従来の技術】
従来、このようなパワースライドドア装置は、自動車の側面にて、外側にリフトした状態で車体の前後方向にスライドするように支持されたスライドドアと、このスライドドアを閉鎖位置と開放位置との間で移動させるパワースライドドアユニットと、スライドドアを閉鎖位置にロックするためのドアロック装置と、上記パワースライドドアユニット及びドアロック装置をリモコン操作するための操作信号を受信するためのリモコン受信部と、ドアに備えられたガラスを上下方向に移動させて開閉するためのレギュレータと、を備えている。
【０００３】
このような構成のパワースライドドア装置によれば、リモコン受信部が外部からの操作信号を受信して、ドアロック装置を制御することにより、スライドドアを閉鎖位置にてロックし、あるいは操作信号に基づいてパワースライドドアユニットを制御することにより、スライドドアを開閉するようになっている。
【０００４】
ここで、上記パワースライドドアユニット，ドアロック装置，リモコン受信部及びレギュレータは、スライドドアを構成するドアアウターパネルとドアインナーパネルとの間に画成されるドア内部空間内に配置されるようになっていると共に、特にパワースライドドアユニットの一部品であるパワースライドドアモータは、防水性の観点から、ドアインナーパネルの室内側に凹陥部を形成して、この凹陥部内に配置することが好ましい。
また、上記リモコン受信部及びドアロック装置を上記ドア内部空間内の所定位置に配置し、取り付けるために、ドアインナーパネルに作業用の穴としての所謂サービスホールを設けて、このサービスホールからドア内部空間内にドアロック装置を導入して、所定位置に取り付けるようになっている。
【０００５】
ところで、このようなパワースライドドア装置を備えた自動車が、所謂ワンボックスカーである場合には、スライドドア自体が比較的大きく、前後方向にも高さ方向にも十分寸法があることから、ドア内部の取付スペースが十分に確保されることができる。
したがって、ドア内部に、上述したドアロック装置，リモコン受信部そしてレギュレータ及びパワースライドドアユニットを収容した場合、レギュレータがワイヤ式であってもアーム式であっても、レギュレータによるガラスの開閉時にガラスの移動路と干渉することなく、ドア内部に配置することができるので、パワースライドドア装置を容易に搭載することができると共に、その配置の自由度も大きい。
【０００６】
このような、ドアをスライド動作させるためのパワースライドユニットをスライドドア内に設けた車両用スライドドア装置が知られている（例えば、特許文献１参照）。
また、上記のようにドア内には複数の部品が配設されるが、このような部品をパネルに取り付けてモジュール化し、さらにインナーパネルにモジュールユニットに対応した開口を形成し、この開口にモジュールユニットが取り付けられていることを特徴とするドアの構造が知られている（例えば、特許文献２参照）。なお、このドアは、パワースライドドアではなく、ドアヒンジまわりに回動するものである。
【０００７】
【特許文献１】
特開２００１−３３６３５２号公報（第３−４頁，図１及び図２）
【特許文献２】
特開２００１−２４７０６３号公報（図２及び図３）
【０００８】
【発明が解決しようとする課題】
これに対して、所謂小型自動車にパワースライドドアを採用しようとした場合には、車高が低いことから、スライドドア自体が比較的小さく、特に高さ方向の寸法が大幅に小さくなることから、また後部ドアの場合には、タイヤハウスの部分を避ける必要があることから、ドア内部の取付スペースが制限されることになる。
このため、レギュレータがワイヤ式である場合、例えば図４に示すように、パワースライドドア装置１は、スライドドア２のドア内部空間の所定位置にリモコン受信部３及びドアロック装置４を取り付けるために、ドアインナーパネル２ａに比較的大きなサービスホール２ｂを設けて、このサービスホール２ｂを介してドア内部空間内にリモコン受信部３及びドアロック装置４を導入して、所定位置に取り付ける必要がある。
【０００９】
ところで、このような構成のパワースライドドア装置１においては、上述したサービスホール２ｂがワイヤ式レギュレータ５を受容し得るように、比較的大きく形成されていることから、パワースライドドアユニット６のパワースライドドアモータ６ａを取り付けるための設置面積が比較的小さくなってしまうため、ドアインナーパネル２ａの凹陥部２ｃを深絞り加工により形成する必要がある。
しかしながら、ドアインナーパネル２ａは鋼板のプレス加工により成形されることから、深絞り加工は不可能であるので、パワースライドドアモータ６ａ用の凹陥部２ｃを加工することが困難になってしまう。
【００１０】
また、レギュレータがアーム式である場合も、例えば図５に示すように、パワースライドドア装置７は、スライドドア２のドア内部空間の所定位置にリモコン受信部３及びドアロック装置４を取り付けるために、ドアインナーパネル２ａにサービスホール２ｄを設けて、このサービスホール２ｄを介してドア内部空間内にリモコン受信部３及びドアロック装置４を導入して、所定位置に取り付ける必要がある。
【００１１】
しかしながら、このような構成のパワースライドドア装置７においては、上述したアーム式レギュレータ８の取付領域をドアインナーパネル２ａ上に確保すると、リモコン受信部３及びドアロック装置４をドア内部空間内に導入するためのサービスホール２ｄの大きさを確保することができなくなってしまう。
【００１２】
さらに、上述した図４及び図５に示したパワースライドドア装置１，７の何れにおいても、ドアインナーパネルの面積が比較的小さいことから、上述した各構成要素を配置するために、ドア厚さ方向に重ねて配置することも可能であるが、この場合、ドアの厚さが厚くなってしまい、スライドドアの開放の際の移動量、即ちリフト量が大きくなってしまう。
【００１３】
本発明は、以上の点にかんがみ、十分な大きさのサービスホールを確保することができると共に、パワースライドドアユニットのパワースライドドアモータをドアインナーパネルの室内側に確実に取り付けることができるようにした、小型自動車のパワースライドドア装置を提供することを目的としている。
【００１４】
【課題を解決するための手段】
上記目的を達成するため、本発明は、小型自動車の側面にて、外側にリフトした状態で車体の前後方向にスライドするように支持されたスライドドアと、このスライドドアを閉鎖位置と開放位置との間で移動させるパワースライドドアユニットと、上記スライドドアをロックするためのドアロック装置と、上記パワースライドドアユニット及びドアロック装置をリモコン操作するためのリモコン受信部と、ドアに備えられたガラスを上下方向に移動させて開閉するレギュレータとを備えた小型自動車のパワースライドドア装置であって、ドアの内面を構成するドアインナーパネルに設けられた第一及び第二の開口部と、この第一の開口部に取付可能なモジュールパネルと、上記第二の開口部に取付可能なモータブラケットと、を備えていることを特徴としている。
【００１５】
上記モジュールパネルは、好ましくは、ドア内部に収容される第一の凹陥部を備え、この第一の凹陥部は上記モジュールパネルに複数備えられている。また、好ましくは、上記モータブラケットが、ドア内部に収容される第二の凹陥部を備えている。なお、上記第一の開口部は、上記第二の開口部よりも大きく形成されているのがよい。
【００１６】
前記モジュールパネルは、前記第一の凹陥部にリモコン受信部，レギュレータを装着されて、モジュールとして構成されるのが望ましく、このモジュール化されたモジュールパネルが、前記第一の開口部に取り付けられている。更に、前記第二の凹陥部に、上記パワースライドドアユニットのモータが装着されていれば好ましい。
【００１７】
したがって、小型自動車のスライドドアであっても、ドアインナーパネルのモジュールパネルを取り付けるための第一の開口部をサービスホールとして利用することにより、十分な大きさのサービスホールを確保することができるので、ドアロック装置，パワースライドドアユニットを容易にドア内部空間内に導入・装着することができると共に、リモコン受信部及びレギュレータが一体化されたモジュールパネルをドアインナーパネルの開口部に装着することにより、各構成要素が確実に小型車のドア内部空間内に収容されることになる。
【００１８】
【発明の実施の形態】
以下、図面に示した実施形態に基づいて本発明を詳細に説明する。
図１乃至図３は、本発明による小型自動車のパワースライドドア装置の一実施形態の構成例を示している。図１において、小型自動車のパワースライドドア装置１０は、スライドドア１１と、パワースライドドアユニット１２と、ドアロック装置１３と、リモコン受信部１４と、レギュレータ１５と、モジュールパネル１６と、モータブラケット１７と、から構成されている。
【００１９】
上記スライドドア１１は、図示の場合、自動車の右側後部のスライドドアであって、自動車の右側面にて、閉鎖位置から外側にリフトした状態で車体の前後方向（図１にて左右方向）にスライドするように支持されている。
なお、スライドドア１１は、内側のドアインナーパネル１１ａと外側のドアアウターパネル１１ｂの二枚のパネルから構成されており、その間にドア内部空間Ｓを画成するようになっている。
【００２０】
そして、上記パワースライドドアユニット１２，ドアロック装置１３，リモコン受信部１４及びレギュレータ１５は、それぞれ上記ドア内部空間Ｓ内に配置されている。
また、上記ドアインナーパネル１１ａは、上述したモジュールパネル１６及びモータブラケット１７をそれぞれ取り付けるための二つの開口部１１ｃ，１１ｄを備えている。
【００２１】
上記パワースライドドアユニット１２は、上記スライドドア１１を閉鎖位置と開放位置との間で（図１にて左右方向に）移動させるものであり、パワースライドドアモータ１２ａと、このパワースライドドアモータ１２ａの回転駆動力を伝達するためのプーリ等（図示せず）と、さらにパワースライドドアモータ１２ａを駆動制御するための制御部１２ｂと、から構成されている。
ここで、パワースライドドアモータ１２ａのみが、後述するように、ドアインナーパネル１１ａの室内側に配置されるようになっていると共に、パワースライドドアユニット１２の他のプーリ等の構成要素及び制御部１２ｂは、前記開口部１１ｃを介してドア内部空間Ｓ内に導入されて、所定の取付位置に取り付けられる。
【００２２】
上記ドアロック装置１３は公知の構成であって、このスライドドア１１を閉鎖位置にロックするためのものである。このドアロック装置１３は、同様にして前記開口部１１ｃを介してドア内部空間Ｓ内に導入され、所定の取付位置に取り付けられる。
【００２３】
上記リモコン受信部１４は、同様に公知の構成であって、上記パワースライドドアユニット及びドアロック装置をリモコン操作するための操作信号を受信するためのものである。このリモコン受信部１４は、後述するようにモジュールパネル１６上に装着されるようになっている。
【００２４】
上記レギュレータ１５は公知の構成であって、スライドドア１１に備えられたガラス（図示省略）を上下方向に移動させて開閉するためのものであり、この場合、図５に示した従来のパワースライドドア装置７と同様にアーム式として構成されている。このレギュレータ１５は、同様にして後述するようにモジュールパネル１６上に装着されるようになっている。
【００２５】
上記モジュールパネル１６は、鉄板をプレス加工したものであり、図２に示すように、ドアインナーパネル１１ａの第一の開口部１１ｃに対応する形状に形成されていると共に、ドア内部空間Ｓ内に収容される複数の第一の凹陥部１６ａを備えている。各凹陥部１６ａは装着される物が埋まる深さに凹設されている。即ち、各凹陥部１６ａは、各凹陥部１６ａに装着された物がドア内部空間Ｓ内に配置されるように、形成されている。
【００２６】
なお、第一の開口部１１ｃは、後述するようにサービスホールとして利用することができるように、後述の第二の開口部１１ｄよりも大きく形成されている。また、第一の開口部１１ｃは、図１及び図２に示すように、リモコン受信部１４及びアーム式のレギュレータ１５の配置箇所に対応した位置に形成されており、インナーパネル１１ａ全体面積の半分以下の大きさに設定される。
【００２７】
このように構成されるモジュールパネル１６の各凹陥部１６ａ内には、前記リモコン受信部１４，レギュレータ１５が前もって別々に取り付けられ、それらは全体でモジュール化されている。
【００２８】
上記モータブラケット１７は、鉄板をプレス加工したものであり、図２に示すように、ドアインナーパネル１１ａの第二の開口部１１ｄに対応する形状に形成されていると共に、ドア内部空間Ｓ内に収容される第二の凹陥部１７ａを備えている。この凹陥部１７ａも、上記凹陥部１６ａと同様に、装着される物が埋まる深さの凹部として形成されており、凹陥部１６ａに装着された物はドア内部空間Ｓ内に配置されるようになる。
【００２９】
このモータブラケット１７の凹陥部１７ａ内には、前記パワースライドドアユニット１２のパワースライドドアモータ１２ａが収容され、取り付けられる。これにより、パワースライドドアモータ１２ａは、図３に示すように、スライドドア１１のドア内部空間Ｓ内に完全に収容され、さらにインナーパネル１１ａの室内側に配置される。
【００３０】
本発明実施形態による小型自動車のパワースライドドア装置１０は、以上のように構成されており、以下のように動作する。
即ち、スライドドア１１の閉鎖位置にて、リモコン受信部１４が外部からの操作信号を受信してドアロック装置１３を制御することにより、スライドドア１１を閉鎖位置にてアンロックする。
また、リモコン受信部１４が操作信号に基づいてパワースライドドアユニット１２を制御することにより、スライドドア１１をまず外側にリフトさせた後、後方へ移動させて開放するようになっている。
さらに、スライドドア１１の開放位置にて、リモコン受信部１４が外部からの操作信号を受信して、パワースライドドアユニット１２を制御することにより、スライドドア１１をまず前方に移動させた後、内側に移動させて閉鎖し、必要であればドアロック装置１３を制御してロックする。
【００３１】
このような小型自動車のパワースライドドア装置１０は、以下の手順で製造できる。
リモコン受信部１４及びレギュレータ１５をモジュールパネル１６に取り付けてモジュール化する。このモジュール化されたモジュールパネル１６、所謂モジュールユニットを取り付ける前に、第一の開口部１１ｃをサービスホールとして利用して、パワースライドドアモータ１２ａ以外の制御部１２ｂやドアロック装置１３を含む構成要素をドア内部空間Ｓ内に導入させて、それぞれ所定位置に取り付ける。
【００３２】
次いで、モジュールユニットを第一の開口部１１ｃに取り付ける。なお、モジュールパネル１６は、例えばスポット溶接により、第一の開口部１１ｃに取り付けられる。
さらに、パワースライドドアモータ１２ａへの給電ライン（図示せず）をドアインナーパネル１２ａの内面に配設する。
次いで、凹陥部１７ａ内にパワースライドドアモータ１２ａを装着したモータブラケット１７を第二の開口部１１ｄに取り付ける。なお、モータブラケット１７は、例えばスポット溶接により第二の開口部１１ｄに取り付けられる。
【００３３】
このようにして、本発明実施形態による小型自動車のパワースライドドア装置１０によれば、モジュール化したモジュールパネル１６をドアインナーパネル１１ａに取り付ける構造としているため、レギュレータなどの部品を個々に取り付ける構造に比べて、組み立て作業が容易である。また、ドアインナーパネル１１ａに設けられた第一の開口部１１ｃをサービスホールとして利用することで、取付面積の比較的小さい小型自動車の場合であっても、ドアロック装置１３等を容易にドア内部空間Ｓ内に導入して所定位置に取り付けることができる。
【００３４】
また、パワースライドドアモータ１２ａが、モータブラケット１７の凹陥部１７ａ内に収容されて取り付けられているので、取付面積が比較的小さくても、モータブラケット１７に急激な傾斜の凹陥部１７ａを容易に形成することが可能である。これにより、パワースライドドアモータ１２ａをドア内部空間Ｓ内にて室内側に配置することが可能になる。よって、パワースライドドアモータ１２ａの防水性が確保されることになると共に、ドア内部空間Ｓの厚さを比較的薄く構成することができるので、ドア断面が薄くなり、スライドドア１１の開放の際のリフト量が低減される。
【００３５】
以上説明したが、本発明は、発明の趣旨を逸脱しない範囲において様々な形態で実施できる。例えば、上述した実施形態においては、小型自動車の右側のスライドドアの場合について説明したが、これに限らず、小型自動車の左側のスライドドアや他の箇所のスライドドアについても、また閉鎖位置から前方にスライドして開放されるスライドドアについても、本発明を適用し得ることは明らかである。
また、モジュールパネル１６の説明において、構成部材が装着される凹陥部１６ａが図２では３個設けられる場合を例示したが、その数に限定されるものではない。
【００３６】
【発明の効果】
以上述べたように、本発明によれば、前もってリモコン受信部及びレギュレータをモジュールパネルの凹陥部内に装着してモジュール化しておき、このモジュール化されたモジュールパネルをドアインナーパネルの第一の開口部に取り付けることにより、小型自動車ドアの内部空間内にリモコン受信部及びレギュレータを装着することができる。
【図面の簡単な説明】
【図１】本発明による小型自動車のパワースライドドア装置の一実施形態の構成例を示す概略側面図である。
【図２】図１の小型自動車のパワースライドドア装置におけるスライドドアとモジュールパネル，モータブラケットを示す分解斜視図である。
【図３】図１の小型自動車のパワースライドドア装置におけるパワースライドドアモータ付近の概略断面図である。
【図４】従来のパワースライドドア装置を小型自動車に適用した場合の第一の構成例を示す概略側面図である。
【図５】従来のパワースライドドア装置を小型自動車に適用した場合の第二の構成例を示す概略側面図である。
【符号の説明】
１０　　小型自動車のパワースライドドア装置
１１　　スライドドア
１１ａ　ドアインナーパネル
１１ｂ　ドアアウターパネル
１１ｃ　第一の開口部
１１ｄ　第二の開口部
１２　　パワースライドドアユニット
１２ａ　パワースライドドアモータ
１２ｂ　制御部
１３　　ドアロック装置
１４　　リモコン受信部
１５　　レギュレータ
１６　　モジュールパネル
１６ａ　第一の凹陥部
１７　　モータブラケット
１７ａ　第二の凹陥部
【図１】
2004142681.tif 000003
【図２】
2004142681.tif 000004
【図３】
2004142681.tif 000005
【図４】
2004142681.tif 000006
【図５】
2004142681.tif 000007